(57)【要約】【課題】床に伝達される振動の低減を図ることができる洗濯機を提供すること。【解決手段】洗濯機１は、床１１に載置されるベース３と、ベース３の上に配置され、垂直方向Ｖに交差する中心軸１２を中心に回転可能に設けられ、前方Ｚ１に洗濯物の出入口１５を有する洗濯脱水槽４と、ベース３の上に配置され、洗濯脱水槽４を収容する外槽５と、第２ダンパ７と、振動低減構造４３とを含む。第２ダンパ７は、外槽５の前方側下方部分５Ｂとベース３との間に設けられ、洗濯脱水槽４の回転により外槽５に生じる振動を受け止めて減衰する。振動低減構造４３は、第２ダンパ７とベース３との間に設けられ、第２ダンパ７が受け止める振動における下方成分ＬＶを低減する。【選択図】図２
2015119848.tif 000002
【特許請求の範囲】
【請求項１】
床に載置されるベースと、
前記ベースの上に配置され、垂直方向に交差する軸線を中心に回転可能に設けられ、軸線方向一方に洗濯物を出し入れするための出入口を有する洗濯脱水槽と、
前記ベースの上に配置され、前記軸線方向一方に前記出入口と連通する開口部を有し、前記洗濯脱水槽を収容する外槽と、
前記外槽の前記軸線方向一方側の下方部分と前記ベースとの間に設けられ、一端部が前記下方部分に連結され、前記洗濯脱水槽の回転により前記外槽に生じる振動を受け止めて減衰するダンパと、
前記ダンパと前記ベースとの間に設けられ、前記ダンパの他端部が連結され、前記ダンパが受け止める振動における下方成分を低減する振動低減構造と、
を含むことを特徴とする洗濯機。
【請求項２】
前記振動低減構造は、前記ダンパと前記ベースとの間に介在され前記ダンパを前記ベースに取り付ける取付部品を含み、
前記取付部品は、前記外槽の振動が前記ダンパに加わると、前記ベースとの連結部分を支点として弾性変形可能であることを特徴とする請求項１記載の洗濯機。
【請求項３】
前記振動低減構造は、前記ベースに設けられ、前記ダンパを下方から支持し、弾性変形可能なベース連結部を含むことを特徴とする請求項１または２記載の洗濯機。
【請求項４】
前記ベースは、洗濯パンの内側に収まった状態で前記ベース連結部を支持するベース本体部を含み、
前記ベース連結部は、片持ち梁となるように前記ベース本体部から前方へ突出することを特徴とする請求項３記載の洗濯機。
【請求項５】
前記ダンパは、前記ベースおよび外槽の少なくとも一方に対して、減衰力を有する弾性部品を介して連結されることを特徴とする請求項１〜４のいずれかに記載の洗濯機。
【発明の詳細な説明】
【技術分野】
【０００１】
この発明は、洗濯機に関する。
【背景技術】
【０００２】
下記特許文献１で開示されたドラム式洗濯機は、本体外装部と、本体外装部内に配置された水槽と、水槽内で回転自在に支持されたドラムと、水槽を揺動自在に懸架する懸架装置と、水槽の前部を支持して水槽の前部の振動を減衰させるダンパとを備える。本体外装部の前面には、洗濯物投入口が形成され、水槽には、洗濯物投入口に対向する開口部が形成される。洗濯物投入口と開口部との間は、パッキンによって密封される。
【先行技術文献】
【特許文献】
【０００３】
【特許文献１】特開２００１−１７０３８９号公報
【発明の概要】
【発明が解決しようとする課題】
【０００４】
特許文献１のドラム式洗濯機の場合、本体外装部の下端に位置するベースと水槽との間にダンパが架設され、ダンパは、取付部を介してベースに対して強固に固定される。この構成では、脱水時などでドラムが高速回転したときに生じる水槽の振動がダンパによって十分に減衰されずにベースを介して床に伝わったり、ダンパが振動を減衰させる際の副作用としてダンパから床に反力が振動となって伝わったりする虞がある。床に振動が伝わると、床が振動することでノイズが発生する虞がある。特に、床がコンクリートなどの高剛性の材料ではなく、木材などの低剛性の材料によって構成される場合には、床の振動が大きくなる。
【０００５】
この発明は、かかる背景のもとでなされたもので、床に伝達される振動の低減を図ることができる洗濯機を提供することを目的とする。
【課題を解決するための手段】
【０００６】
本発明は、床に載置されるベースと、前記ベースの上に配置され、垂直方向に交差する軸線を中心に回転可能に設けられ、軸線方向一方に洗濯物を出し入れするための出入口を有する洗濯脱水槽と、前記ベースの上に配置され、前記軸線方向一方に前記出入口と連通する開口部を有し、前記洗濯脱水槽を収容する外槽と、前記外槽の前記軸線方向一方側の下方部分と前記ベースとの間に設けられ、一端部が前記下方部分に連結され、前記洗濯脱水槽の回転により前記外槽に生じる振動を受け止めて減衰するダンパと、前記ダンパと前記ベースとの間に設けられ、前記ダンパの他端部が連結され、前記ダンパが受け止める振動における下方成分を低減する振動低減構造と、を含むことを特徴とする洗濯機である。
【０００７】
また、本発明は、前記振動低減構造は、前記ダンパと前記ベースとの間に介在され前記ダンパを前記ベースに取り付ける取付部品を含み、前記取付部品は、前記外槽の振動が前記ダンパに加わると、前記ベースとの連結部分を支点として弾性変形可能であることを特徴とする。
【０００８】
また、本発明は、前記振動低減構造は、前記ベースに設けられ、前記ダンパを下方から支持し、弾性変形可能なベース連結部を含むことを特徴とする。
【０００９】
また、本発明は、前記ベースは、洗濯パンの内側に収まった状態で前記ベース連結部を支持するベース本体部を含み、前記ベース連結部は、片持ち梁となるように前記ベース本体部から前方へ突出することを特徴とする。
【００１０】
また、本発明は、前記ダンパは、前記ベースおよび外槽の少なくとも一方に対して、減衰力を有する弾性部品を介して連結されることを特徴とする。
【発明の効果】
【００１１】
本発明によれば、洗濯機では、ダンパの一端部が、外槽における開口部側の下方部分に連結され、振動低減構造が、ダンパとベースとの間に設けられ、ダンパの他端部に連結される。振動低減構造は、ダンパが外槽から受け止める振動の下方成分を低減するので、この振動がベースから下方の床に伝達されることを極力抑制できる。その結果、床に伝達される振動の低減を図ることができる。
【００１２】
また、本発明によれば、振動低減構造に含まれる取付部品が、弾性変形することによって、ダンパが外槽から受け止める振動の下方成分を低減する。これにより、この振動がベースから下方の床に伝達されることを極力抑制できる。その結果、床に伝達される振動の低減を図ることができる。
【００１３】
また、本発明によれば、振動低減構造に含まれるベース連結部が、弾性変形することによって、ダンパが外槽から受け止める振動の下方成分を低減する。これにより、この振動がベースから下方の床に伝達されることを極力抑制できる。その結果、床に伝達される振動の低減を図ることができる。
【００１４】
また、本発明によれば、ベース連結部を片持ち梁となるようにベース本体部から前側へ突出させることによって、部品点数を増やすことなく、床に伝達される振動の低減を図ることができる。
【００１５】
また、本発明によれば、ダンパをベースおよび外槽の少なくとも一方に対して連結させる弾性部品が減衰力を有するため、外槽の振動を弾性部品によっても減衰できるので、床に伝達される振動の低減を一層図ることができる。
【図面の簡単な説明】
【００１６】
【図１】図１は、この発明の一実施形態に係る洗濯機１の内部構造を示す正面図である。
【図２】図２は、洗濯機１の縦断面右側面図である。
【図３】図３は、第２ダンパ７の縦断面右側面図である。
【図４】図４は、第２ダンパ７の正面図である。
【図５】図５は、洗濯機１のベース３を正面上方から見た斜視図である。
【図６】図６は、ベース３および第２ダンパ７を背面上方から見た斜視図である。
【図７】図７は、ベース３および第２ダンパ７の部分断面背面図である。
【図８】図８は、ベース３および第２ダンパ７の要部を抜き出して示す部分断面右側面図である。
【図９】図９は、第２ダンパ７をベース３に取り付けるための取付部品３０の斜視図である。
【図１０】図１０は、本実施形態の洗濯機１と比較例に係る洗濯機とで、発生する振動の大きさを比較したグラフである。
【図１１】図１１は、第１変形例に係るベース３および第２ダンパ７を正面上方から見た斜視図である。
【図１２】図１２は、第１変形例に係るベース３および第２ダンパ７の部分断面右側面図である。
【図１３】図１３は、第２変形例に係る第２ダンパ７を示す図である。
【発明を実施するための形態】
【００１７】
以下には、図面を参照して、この発明の実施形態について具体的に説明する。
図１は、この発明の一実施形態に係る洗濯機１の内部構造を示す正面図である。図２は、洗濯機１の縦断面右側面図である。
なお、以下の実施形態では、図１に示すように洗濯機１を正面側から見たときを基準として、洗濯機１の方向を特定する。つまり、図１の紙面に垂直な方向は、洗濯機１の前後方向であり、図１に示す紙面手前側は、洗濯機１の正面側（前方）であり、図１における紙面奥側は、洗濯機１の背面側（後側）である。また、図１における左右方向（横方向）は、洗濯機１の左右方向Ｘと一致する。左右方向Ｘのうち、左方を左方Ｘ１と称し、右方を右方Ｘ２と称する。
【００１８】
そして、図２における紙面左側が洗濯機１の正面側であり、図２における紙面右側が洗濯機１の背面側である。図１および図２のそれぞれにおける上下方向（縦方向）は、洗濯機１の上下方向Ｙと一致する。上下方向Ｙのうち、上方を上方Ｙ１と称し、下方を下方Ｙ２と称する。また、洗濯機１の前後方向には、符号Ｚを付し、前方を前方Ｚ１と称し、後方を後方Ｚ２と称する。
【００１９】
この実施形態における洗濯機１として、いわゆるドラム式洗濯機が想定される。そのため、洗濯機１では、洗い工程、すすぎ工程および脱水工程が実行される。ただし、洗濯機１は、洗濯後の洗濯物を乾燥させる機能を有するドラム式洗濯乾燥機であってもよい。
＜洗濯機１の概要についての説明＞
最初に、洗濯機１の概要について説明する。
図２を参照して、洗濯機１は、筐体２と、ベース３と、洗濯脱水槽４と、外槽５とを含む。
【００２０】
筐体２は、板金などで形成された縦長ボックス状である。筐体２の正面２Ａでは、下側部分が略垂直に延び、上側部分が斜め後方に延びる。正面２Ａの上側部分には、略円形の開口部８が形成され、開口部８には、開口部８を開閉する扉９が設けられる。扉９は、後方Ｚ２へ向かうにつれて縮径されて形成され、その断面は、略円錐台形状である。
【００２１】
ベース３は、筐体２の下端２Ｂに配置される。ベース３は、平面視略矩形状に形成される凹状の部材であり、具体的には上方に向かって開口するトレイ形状である。ベース３は、たとえば合成樹脂によって形成される。ベース３は、筐体２の下端２Ｂにおいて前方Ｚ１側の端部以外のほとんどの部分を下方Ｙ２から塞ぎ、筐体２の下端２Ｂに対して、ねじなどの固定部材によって組み付けられる。ベース３において床１１と対向する下面部の四隅には、下方Ｙ２へ突出する凸部１０が１つずつ、合計で４つ形成される。これらの凸部１０が床１１に上方Ｙ１から当接することで、ベース３は床１１に載置される。ベース３の詳細については、以降で詳説する。
【００２２】
洗濯脱水槽４は、いわゆる回転ドラムであって、ベース３の上方Ｙ１に配置される。洗濯脱水槽４は、内部に洗濯物を収納することができる有底円筒状に形成され、その中心軸１２は、少なくとも垂直方向Ｖに交差して延び、この実施形態では水平方向Ｈに対して傾斜して延びる。つまり、洗濯脱水槽４は、水平方向Ｈに対して斜めに配置されたいわゆる斜めドラム構造をなす。
【００２３】
洗濯脱水槽４は、軸線を中心軸１２とする略円筒状の円周壁１３と、円周壁１３の後端に接続され円周壁１３の中空部分を後側から塞ぐ円板状の底壁１４とを含む。円周壁１３では、前端部が前方Ｚ１に向かうにつれて階段状に縮径されて形成され、円周壁１３の内周面における前端縁が、洗濯脱水槽４に設けられた円形状の出入口１５を構成する。出入口１５は、洗濯脱水槽４において、中心軸１２の延びる方向である軸線方向Ｊの一方側（前方Ｚ１側）の端部に設けられる。洗濯機１の使用者は、出入口１５を介して、洗濯脱水槽４内に洗濯物を出し入れすることができる。
【００２４】
外槽５は、洗濯脱水槽４より一回り大きい有底円筒状であって、筐体２内においてベース３の上方Ｙ１に配置される。外槽５は、ベース３から真上に浮いた状態にある。外槽５の中心軸は、洗濯脱水槽４の中心軸１２と一致する。そのため、外槽５は、中心軸が水平方向Ｈに対して傾斜して配置される。外槽５は、その内部に洗濯脱水槽４を同軸状で収容する。
【００２５】
外槽５は、軸線を中心軸１２とする略円筒状の円周壁１６と、円周壁１６の後端に接続されて円周壁１６の中空部分を後方Ｙ２から塞ぐ円板状の底壁１７とを含む。外槽５の内部には、水道水、風呂水および洗剤が溶けた液体などの洗濯水が溜められる。
【００２６】
円周壁１６は、軸線方向Ｊにおいて底壁１７とは反対側の前端部が前方Ｚ１に向かうにつれて階段状に縮径されて形成され、円周壁１６の内周面における前端縁が、外槽５の正面５Ａに設けられた円形状の開口部１８を構成する。開口部１８は、前方Ｚ１側において、洗濯脱水槽４の出入口１５に対して同一軸線状で前方Ｚ１から対向し、連通する。外槽５には、開口部１８を全周に亘って縁取りつつ前方Ｚ１へ突出する環状のパッキン１９が取り付けられる。パッキン１９が、閉じた状態の扉９に密着することによって、扉９と外槽５の開口部１８との間を密封するので、外槽５内の洗濯水が開口部１８の外へ漏れ出すことを防止できる。扉９が取り付けられた筐体２と、外槽５とは、互いの間にパッキン１９を介在させることによって、弾性的に接続される。扉９を開くと、出入口１５および開口部１８が前方Ｚ１に開放されるので、使用者は、出入口１５および開口部１８を介して洗濯脱水槽４内に洗濯物を出し入れすることができる。
【００２７】
底壁１７の背面には、たとえばＤＤモータなどのモータ２０が取り付けられ、モータ２０の出力軸２０Ａは、底壁１７の円中心部分を貫通し、外槽５内で中心軸１２に沿って前方Ｚ１へ突出する。
洗濯脱水槽４の底壁１４の円中心部分には、モータ２０の出力軸２０Ａが連結される。モータ２０を駆動すると、洗濯脱水槽４は、中心軸１２を回転中心として回転可能である。
【００２８】
洗濯脱水槽４の円周壁１３および底壁１４の少なくとも一方には、厚み方向に貫通する複数の貫通孔（図示せず）が形成され、洗濯脱水槽４の内部と外槽５の内部とは、当該貫通孔を介して連通する。そのため、外槽５に溜まった洗濯水は、洗濯脱水槽４と外槽５との間で行き来することができる。
洗濯脱水槽４を回転することで、洗濯脱水槽４内の洗濯物に対して、いわゆるたたき洗いが行われる。また、洗濯脱水槽４を高速回転することで、洗濯脱水槽４内の洗濯物が脱水される。
【００２９】
＜外槽５を支持する構成についての詳細説明＞
次に、洗濯機１において外槽５を支持する構成について説明する。
洗濯機１は、第１ダンパ６と、第２ダンパ７とをさらに含む。
第１ダンパ６は、図１に示すように、左右方向Ｘに間隔をあけて一対設けられる。それぞれの第１ダンパ６は、上下方向Ｙに延びるアーム状に形成され、スプリングなどのばね要素を有しており、上下方向Ｙに弾性的に伸縮することができる。各第１ダンパ６は、前後方向Ｚにおいて、外槽５における前後方向Ｚの中央部より後方Ｚ２寄りに配置される。
【００３０】
外槽５には、底壁１７にモータ２０という重量物が取り付けられることから、底壁１７側が比較的重い。各第１ダンパ６は、下端部がベース３に連結され、上端部が外槽５において底壁１７近傍の円周壁１６に対して下方Ｙ２から連結される。第１ダンパ６は、底壁１７近傍の円周壁１６の左右方向Ｘの両側にあって、ベース３と外槽５との間にそれぞれ１本ずつ架設される。
【００３１】
各第１ダンパ６は、外槽５において底壁１７側にある略後半分を下方Ｙ２から弾性的に支持する。そのため、第１ダンパ６が連結されたベース３と、ベース３が連結された筐体２とは、外槽５の略後半分を弾性的に支持する。洗濯脱水槽４が回転したときに外槽５に生じる振動は、各第１ダンパ６の伸縮によって吸収される。
【００３２】
次に、第２ダンパ７について説明する。
図２を参照して、第２ダンパ７は、第１ダンパ６よりも前方Ｚ１で中心軸１２の下方Ｙ２にあって、外槽５においてパッキン１９が取り付けられた開口部１８の近傍に１つ設けられる。第２ダンパ７は、ロッドケース２１と、ロッド２２とを含む。
図３は、第２ダンパ７の縦断面右側面図である。図４は、第２ダンパ７の正面図である。
【００３３】
図３を参照して、ロッドケース２１は、上下方向Ｙに細長く延びるパイプ状に形成され、その中空部分２１Ａは、上端部２１Ｂにおいて塞がれ、下端部２１Ｃは下方Ｙ２に開口する。ロッドケース２１の上端部２１Ｂには、上端部２１Ｂを前後方向Ｚに貫通する円形の貫通孔２１Ｄが１つ形成される。
【００３４】
第２ダンパ７の一端部をなすロッドケース２１の上端部２１Ｂは、ブラケット２７を介して、外槽５の円周壁１６において前後方向Ｚの中央よりも前方Ｚ１側の下側外周面（「前方側下方部分５Ｂ」という）に対して下方Ｙ２から連結される（図２参照）。ブラケット２７は、前方側下方部分５Ｂに沿った板状のベース本体部２７Ａと、ベース本体部２７Ａから下方へ突出する支持部２７Ｂとを含み、たとえば金属によって形成される。ベース本体部２７Ａは、ねじなどの固定部材によって前方側下方部分５Ｂの左右方向Ｘにおける中央部に対して下方Ｙ２から取り付けられる。
【００３５】
支持部２７Ｂは、前後方向Ｚに間隔を隔てて上下方向Ｙに平行に延びる一対の支持片２７Ｃを含む。一対の支持片２７Ｃにおいて前後方向Ｚから見て重なる位置には、それぞれの支持片２７Ｃを前後方向Ｚに貫通する貫通孔２７Ｄが形成される。
【００３６】
ロッドケース２１の上端部２１Ｂは、一対の支持片２７Ｃの間に下方Ｙ２から挿通される。そして、上端部２１Ｂの貫通孔２１Ｄと各支持片２７Ｃの貫通孔２７Ｄとが前後方向Ｚから見て連通する状態で、これらの各貫通孔２１Ｄ，２７Ｄに対して前方Ｚ１から中空のピン２８が挿通される。
【００３７】
ピン２８の前端部２８Ａは、一段拡径して形成され、ピン２８の後端部２８Ｂには、凸状の抜け止め部２８Ｃが形成されるので、ピン２８が貫通孔２１Ｄおよび貫通孔２７Ｄから不所望に抜け出ることが防止される。
【００３８】
また、ロッドケース２１の上端部２１Ｂにおいて、貫通孔２１Ｄを縁取る部分とピン２８との間には、環状の弾性部品２９が介在される。弾性部品２９は、減衰力を有するゴムなどの弾性材料で形成されたブッシュである。弾性部品２９の外周面には、その周方向全域に亘って延びる溝２９Ａが形成され、この溝２９Ａに、上端部２１Ｂにおける貫通孔２１Ｄの周縁部が嵌まり込む。これによって、弾性部品２９が上端部２１Ｂに対して位置決めされる。弾性部品２９において貫通孔２１Ｄからはみ出した部分は、上端部２１Ｂの前後方向Ｚの両側において、前後方向Ｚにおける上端部２１Ｂと各支持片２７Ｃとの隙間を塞ぐ。
【００３９】
ロッド２２は、上下方向Ｙに延びロッドケース２１よりも細いパイプ状に形成される。ロッド２２の下端部２２Ａは、第２ダンパ７の他端部に相当する。下端部２２Ａには、下端部２２Ａを前後方向Ｚに貫通する円形の貫通孔２２Ｂが１つ形成される。ロッドケース２１の上端部２１Ｂに取り付けられた弾性部品２９とは別の弾性部品２９が、貫通孔２２Ｂに対して、内嵌されて取り付けられる。貫通孔２２Ｂに取り付けられた弾性部品２９と、ロッドケース２１の上端部２１Ｂに取り付けられた弾性部品２９とでは、寸法や形状が異なってもよい。
【００４０】
ロッド２２の上側部分２２Ｃは、ロッドケース２１の中空部分２１Ａに対して下方Ｙ２から挿通される。第２ダンパ７は、いわゆるフリクションダンパであって、ロッド２２の上側部分２２Ｃがロッドケース２１の内周面に摺動することで生じる摩擦抵抗によって振動を減衰する。
そして、ロッドケース２１の上端部２１Ｂに貫通孔２１Ｄが形成されて、ロッド２２の下端部２２Ａに貫通孔２２Ｂが形成されることから、第２ダンパ７全体は、図４に示すように、上下方向Ｙの各端部にそれぞれ貫通孔が形成された眼鏡型の形状である。
【００４１】
次に、第２ダンパ７とベース３との連結構造について説明する。
図５は、洗濯機１のベース３を正面上方から見た斜視図である。図６は、ベース３および第２ダンパ７を背面上方から見た斜視図である。図７は、ベース３および第２ダンパ７の部分断面背面図である。図８は、ベース３および第２ダンパ７の要部を抜き出して示す部分断面右側面図である。図９は、第２ダンパ７をベース３に取り付けるための取付部品３０の斜視図である。
【００４２】
図５を参照して、ベース３は、前述したように平面視で矩形状をなすトレイ形状であるので、平板状の底壁２４と、底壁２４の四辺のそれぞれから立ち上がる４つの縦壁２５とを含む。４つの縦壁２５のそれぞれは、ある程度厚みがあってもよく、部分的に中空であってもよく、表面部などに様々な形状の凹凸が形成されてもよい。以下では、４つの縦壁２５のうち、正面側に位置する縦壁２５を、正面縦壁２５Ａと呼ぶ。また以下の説明において、ベース３の正面縦壁２５Ａおよびその周辺を、「前方側３Ａ」ということがある。
【００４３】
ベース３は、前方側３Ａにおいて、３つのベース連結部２６を含む。つまり、これらのベース連結部２６は、ベース３の一部として、ベース３に設けられる。それぞれのベース連結部２６は、上下方向Ｙに延びる略柱状のボスである。
【００４４】
３つのベース連結部２６のうち、２つのベース連結部２６（以下、「第１ベース連結部２６Ａ」という。）は、左右方向Ｘに並んだ状態で、正面縦壁２５Ａの上面における左右方向Ｘの略中央部に設けられ、上方Ｙ１へ突出する。残余のベース連結部２６（以下、「第２ベース連結部２６Ｂ」という。）は、図６に示すように、正面縦壁２５Ａから、後方Ｚ２側に離間した位置に設けられ、底壁２４の表面部から上方Ｙ１へ突出する。
【００４５】
図７に示すように、正面または背面から見て、第２ベース連結部２６Ｂは、２つの第１ベース連結部２６Ａの間に位置する。図８に示すように、２つの第１ベース連結部２６Ａの上端部は、上下方向Ｙにおいてほぼ同じ位置にあり、第２ベース連結部２６Ｂの上端部は、２つの第１ベース連結部２６Ａの上端部よりも下方Ｙ２側に位置する。
【００４６】
しかし、第２ベース連結部２６Ｂは、第１ベース連結部２６Ａより上下方向Ｙの寸法が長く形成される。その上、第２ベース連結部２６Ｂは、第１ベース連結部２６Ａとは異なり、正面縦壁２５Ａから後方Ｚ２に離間した位置に配置され、底壁２４の表面部から上方Ｙ１へ突出して形成されるので、各縦壁２５によって支持されない。そのため、第２ベース連結部２６Ｂは、第１ベース連結部２６Ａよりも剛性が低く、その上端部が下端の基端部を支点として周方向や下方Ｙ２などの各方向へ振り子状に揺動するように、撓みやすい。なお、ここでの周方向とは、左右方向Ｘや前後方向Ｙなどのように水平方向Ｈに含まれる任意の方向であり、左右方向Ｘおよび前後方向Ｙのそれぞれに傾斜する方向も含む。
【００４７】
第２ダンパ７は、取付部品３０を介して、３つのベース連結部２６に連結される。図９では、図５に示されたときとほぼ同じ姿勢の取付部品３０が単体で図示される。取付部品３０は、当金（あてがね）ともいい、略板状に形成される。取付部品３０は、金属板をプレス機などで折り曲げ加工することによって形成される。取付部品３０は、前方Ｚ１側に配置される第１部分３１と、後方Ｚ２側に配置される第２部分３２と、第１部分３１と第２部分３２とを連結する連結部分３３とを含んで構成される。
【００４８】
第１部分３１は、平面視で略矩形状である。厳密には、第１部分３１は、前端部の右端部が、突出部３１Ａとして、右方Ｘ２へ一段突出するので、平面視における第１部分３１全体は、略Ｌ字形状に形成される。第１部分３１の前端部において、左端部と右端部（突出部３１Ａ）とには、上下方向Ｙに貫通する円形の挿通孔３４が１つずつ、合計で２つ形成される。２つの挿通孔３４にかかる中心軸の間隔は、２つの第１ベース連結部２６Ａの上下方向Ｙに延びる各軸線の間隔に等しい。
【００４９】
第２部分３２は、平面視において左右方向Ｘに長手の長方形状であって、第１部分３１よりも少し下方Ｙ２に配置される。第２部分３２の後端部寄りの左右方向Ｘにおける略中央には、第２部分３２を上下方向Ｙに貫通する円形の挿通孔３５が１つ形成される。第２部分３２の右端部３２Ａには、第２部分３２を上下方向Ｙに貫通する円形の挿通孔３６が１つ形成される。右端部３２Ａにおいて、挿通孔３６の左方Ｘ１および後方Ｚ２のそれぞれには、第２部分３２を上下方向Ｙに貫通する四角い挿通孔３７が１つずつ形成される。
【００５０】
連結部分３３は、第２部分３２の前方Ｚ１側端部の中間部よりも左方Ｘ１側の端部に連結され、前方Ｚ１側に上方Ｙ１へ傾斜して延び、第１部分３１の後方Ｚ２側端部に接続される。
以上のような取付部品３０では、平面視における外側周縁部が、全域に亘って下方Ｙ２へ折り曲げられ、フランジ状をなす。
【００５１】
そして、図５に示すように、取付部品３０は、３つのベース連結部２６Ａ，２６Ｂに対して上方Ｙ１から取り付けられる。取付部品３０の第１部分３１において、左方Ｘ１の挿通孔３４（図９参照）は、左方Ｘ１の第１ベース連結部２６Ａの上端部の真上に位置し、ねじ３８が、当該挿通孔３４に対して上方Ｙ１から挿通されて当該第１ベース連結部２６Ａの上端部に組み付けられる。第１部分３１において、右方Ｘ２の挿通孔３４（図９参照）は、右方Ｘ２の第１ベース連結部２６Ａの上端部の真上に位置し、別のねじ３８が、当該挿通孔３４に対して上方Ｙ１から挿通されて当該第１ベース連結部２６Ａの上端部に組み付けられる。
【００５２】
取付部品３０の第２部分３２の挿通孔３５（図９参照）は、第２ベース連結部２６Ｂの上端部の真上に位置し、さらに別のねじ３８が、当該挿通孔３５に対して上方Ｙ１から挿通されて第２ベース連結部２６Ｂの上端部に組み付けられる。以上により、取付部品３０は、ねじ３８によって３つのベース連結部２６Ａ，２６Ｂに固定され、各ベース連結部２６によって下方Ｙ２から支持される。
【００５３】
取付部品３０が３つのベース連結部２６Ａ，２６Ｂに固定された状態において、第２部分３２の右端部３２Ａは、第２ベース連結部２６Ｂから右方Ｘ２に離れ、いずれのベース連結部２６とも重ならない。そのため、右端部３２Ａは、いずれのベース連結部２６によっても下方Ｙ２から支持されないので、弾性変形しやすい。第２ダンパ７は、右端部３２Ａに連結される。
【００５４】
詳しくは、右端部３２Ａには、上方Ｙ１へ向けて開放された断面視略Ｕ字状のブラケット３９が取り付けられる。
ブラケット３９は、上下方向Ｙに薄く水平に延びる水平部３９Ａと、水平部３９Ａの前後方向Ｚの各端部から上方Ｙ１へ互いに平行に延びる一対の支持片３９Ｂとを含む。水平部３９Ａは、右端部３２Ａの表面部に載置される。水平部３９Ａは、右端部３２Ａの挿通孔３７（図９参照）に対応する図示しない爪部を有し、この水平部３９Ａに設けられた爪（図示せず）が、挿通孔３７にそれぞれ係合することによって、ブラケット３９は右端部３２Ａに位置決めされる。
【００５５】
ブラケット３９は、ねじ４０を右端部３２Ａの挿通孔３６（図９参照）に対して下方Ｙ２から挿通し、水平部３９Ａに組み付けることによって、右端部３２Ａに固定される（図８参照）。
【００５６】
一対の支持片３９Ｂには、支持片３９Ｂを前後方向Ｚに貫通し、かつ、同一軸線上に中心点が配置される貫通孔３９Ｃ（図７参照）がそれぞれ形成される。
ロッド２２の下端部２２Ａは、一対の支持片３９Ｂの間に上方Ｙ１から挿通されて設けられる。ロッド２２の下端部２２Ａは、下端部２２Ａの貫通孔２２Ｂと各支持片３９Ｂの貫通孔３９Ｃとが前後方向Ｚに関して連通した状態で、これらの貫通孔２２Ｂ，３９Ｃにピン４１を挿通させてブラケット３９に取り付けられる。これにより、ロッド２２の下端部２２Ａは、ブラケット３９を介して取付部品３０に連結される。
【００５７】
ピン４１の前端部４１Ａは、一段拡径され、ピン４１の後端部４１Ｂは、前方Ｚ１側の支持片３９Ｂの貫通孔３９Ｃに対してねじ付けられる（図８参照）。そのため、ピン４１が貫通孔２２Ｂおよび貫通孔３９Ｃから不所望に抜け出ることが防止される。
【００５８】
また、ロッド２２の下端部２２Ａにおいて、貫通孔２２Ｂを縁取る部分とピン４１との間には、前述した環状の弾性部品２９が介在される（図３参照）。前後方向Ｚにおける弾性部品２９の両端部は、貫通孔２２Ｂからはみ出しており、ロッド２２の下端部２２Ａと各支持片３９Ｂとの隙間を塞ぐ。
【００５９】
以上のような構成によって、第２ダンパ７は、上下方向Ｙに沿った姿勢で、外槽５の開口部１８側においてベース３の前方側３Ａと外槽５の前方側下方部分５Ｂとの間に設けられ、前方側３Ａと前方側下方部分５Ｂとを連結する。この状態では、取付部品３０が、第２ダンパ７とベース３との間に介在されて第２ダンパ７をベース３に取り付けており、ベース３の一部をなすベース連結部２６は、取付部品３０を介して第２ダンパ７に連結され、第２ダンパ７を下方Ｙ２から支持する。
【００６０】
洗濯脱水槽４の回転により外槽５に振動が生じた場合において、第２ダンパ７は、外槽５側のロッドケース２１がベース３側のロッド２２に対して上下方向Ｙに相対移動することで、第２ダンパ７全体が上下方向Ｙに伸縮しようとする。その際、図３に示すように、ロッド２２においてロッドケース２１の中空部分２１Ａに収容された上側部分２２Ｃが、ロッドケース２１の内周面に摺動する。上側部分２２Ｃの摺動により生じた摩擦抵抗によって、第２ダンパ７は、外槽５の振動を受け止めて減衰することができる。ただし、第２ダンパ７は、減衰力は有するものの、ばね要素を持っていない。
【００６１】
ここで、第２ダンパ７は、前後方向Ｚに延びる貫通孔２１Ｄおよび２２Ｂを有する眼鏡型であって、これらの貫通孔２１Ｄ，２２Ｂの対応する方に挿通されるピン２８，４１は、前後方向Ｚに延びる。そのため、第２ダンパ７は、上下方向Ｙに伸縮するために、自身が配置された上下の仮想平面Ｓにおいて、ピン２８および４１のそれぞれを回転中心として左右方向Ｘに回動できるが、前後方向Ｚへの変位が規制される。
【００６２】
図５を参照して、前述したベース連結部２６および取付部品３０は、洗濯機１の一部として、第２ダンパ７の下端部７Ａとベース３との間の連結部分４２に設けられた振動低減構造４３を構成する。前述したように第２ダンパ７が外槽５の振動を受け止めると、振動低減構造４３は、後述するように、第２ダンパ７が受け止める振動のうち下方Ｙ２に作用する下方成分ＬＶを低減することができる。
【００６３】
図６を参照して、ベース連結部２６では、取付部品３０において第２ダンパ７が連結された第２部分３２を下から支える第２ベース連結部２６Ｂが、前述したように剛性が低く撓みやすい。よって、外槽５の振動が第２ダンパ７に加わったときに、第２ベース連結部２６Ｂが、前後方向Ｚおよび左右方向Ｘを主とする全方向に揺動するように弾性変形する。ここでの全方向は、前述した周方向が含まれる。一方、取付部品３０の第２部分３２は、第２ベース連結部２６Ｂの弾性変形に連動して、ベース３の第１ベース連結部２６Ａとの連結部分（第１部分３１）を支点として全方向に弾性変形することができる。つまり、第２ベース連結部２６Ｂおよび取付部品３０の両方が全方向に撓むように弾性変形することができる。
【００６４】
また、取付部品３０において第２ダンパ７が直接連結された部分である第２部分３２の右端部３２Ａは、第２部分３２の中でも特に弾性変形しやすい。そのため、外槽５の振動が第２ダンパ７に加わると、取付部品３０全体が第１部分３１を支点として弾性変形するのに加えて、取付部品３０内において右端部３２Ａがさらに弾性変形する。第２ダンパ７が受け止める振動は、このようなベース連結部２６および取付部品３０の弾性変形によって、全方向に分散されて吸収される。これにより、第２ダンパ７が受け止める振動において下方Ｙ２に作用する下方成分ＬＶが低減される。
なお、ベース連結部２６において第２ベース連結部２６Ｂだけが弾性変形可能としているが、３つ全てのベース連結部２６が弾性変形してもよい。
【００６５】
以上のように、この洗濯機１では、図２に示すように第２ダンパ７のロッド２２の下端部２２Ａとベース３との連結部分４２に設けられた振動低減構造４３が、第２ダンパ７が外槽５から受け止める振動の下方成分ＬＶを低減するので、この振動がベース３から下方Ｙ２の床１１に伝達されることを極力抑制できる。その結果、床１１に伝達される振動の低減を図ることができる。
【００６６】
つまり、外槽５の略前半分側で生じる振動が、振動低減構造４３におけるベース連結部２６および取付部品３０の弾性変形によって下方Ｙ２以外の方向に分散されるので、この振動がベース３から下方Ｙ２の床１１に伝達されることを極力抑制できる。その結果、床１１に伝達される振動の低減を図ることができる。
【００６７】
さらに、第２ダンパ７が前述したように眼鏡型であるとともに、第２ダンパ７の伸縮方向には、前後方向Ｚが含まれないことから、外槽５において第２ダンパ７が取り付けられた前方Ｘ１側部分が前後方向Ｚに振動しにくい。そのため、外槽５の振動がパッキン１９を介して前方の扉９に伝わることで筐体２が振動することも抑制できる。
【００６８】
また、取付部品３０や、ベース３の一部であるベース連結部２６を弾性変形可能にすることによって、振動低減構造４３をシンプルに構成することができる。一方、前述したように第２ダンパ７が減衰力を有するもののばね要素を持たないことから、第２ダンパ７自身が振動することがないので、床１１に伝達される振動の低減を一層図ることができる。
【００６９】
本発明の効果を明らかにするため、洗濯機１のベース３の各凸部１０と床１１との間に、ベース３から床１１に作用する荷重を測定するセンサを配置し、床１１に作用する荷重と洗濯脱水槽４の回転数との関係を調べた。その結果を図１０に示す。
【００７０】
図１０のグラフにおいて、縦軸は床１１に作用する荷重（Ｎ）を示し、横軸は洗濯脱水槽４の回転数（ｒｐｍ）を示す。荷重は、ベース３から床１１に伝達される外槽５の振動に相当し、荷重が低いほど、床１１に伝達される外槽５の振動が少ないことを意味する。本実施形態に係る洗濯機１と、振動低減構造４３を有さない比較例に係る洗濯機とを比べると、本実施形態の洗濯機１は、特に脱水時などの高回転域（６００ｒｐｍ以上）において、床１１への振動伝達を大幅に低減できるようになった。
【００７１】
また、第２ダンパ７は、弾性部品２９（図３参照）を介して、ベース３および外槽５の両方に対して連結される。この弾性部品２９は、減衰力を有することから、外槽５の振動（特に、前後方向Ｚへの振動）を弾性部品２９によっても減衰できるので、床１１に伝達される振動の低減を一層図ることができる。なお、前述した実施形態では、第２ダンパ７は、弾性部品２９を介して、ベース３および外槽５の両方に対して連結されるが、ベース３および外槽５のどちらかだけに、弾性部品２９を介して連結されてもよい。つまり、第２ダンパ７は、ベース３および外槽５の少なくとも一方に対して、弾性部品２９を介して連結されればよい。
【００７２】
この発明は、以上に説明した実施形態に限定されるものではなく、請求項記載の範囲内において種々の変更が可能である。
たとえば、図１１および図１２に示すように、ベース３の一部として、正面縦壁２５Ａの上端から前方Ｚ１へ突出するベース連結部４５を設けてもよい。ベース連結部４５は、上下方向Ｙに薄く、左右方向Ｘに長い長方形の板状に形成される。
【００７３】
ベース３においてベース連結部４５以外の部分（元々のベース３）をベース本体部４６ということにすると、図１２を参照して、ベース本体部４６は、いわゆる洗濯パン４７の内側に収まった状態でベース連結部４５を支持する。そして、ベース連結部４５は、片持ち梁となるようにベース本体部４６の正面縦壁２５Ａ（洗濯パン４７の内側）から前方Ｚ１へ突出する。そのため、ベース連結部４５は、ベース本体部４６側の基端部４５Ａを支点として撓むように弾性変形可能である。つまり、ベース連結部４５を片持ち梁となるようにベース本体部４６から前方Ｚ１へ突出させるといった単純な構造により、部品点数を増やすことなく、床１１に伝達される振動の低減を図ることができる。
【００７４】
第２ダンパ７のロッド２２の下端部２２Ａは、前述したベース連結部２６や取付部品３０などを介して、ベース連結部４５の上面に連結される。ベース連結部４５は、第２ダンパ７を下方Ｙ２から支持する。これによって、外槽５の振動が第２ダンパ７に加わったとき、ベース連結部４５は、弾性変形することによって外槽５の振動を吸収できる。このとき、ベース連結部４５が床１１から浮いた位置にあるため、外槽５から第２ダンパ７に伝達された振動がベース連結部４５から床１１に伝達されることはない。そのため、ベース連結部４５は、左右方向Ｘだけでなく、上下方向Ｙに振動しても構わない。
【００７５】
この構成であれば、洗濯パン４７の寸法を気にせずに、振動低減構造４３を設けることができる。また、平面視における見かけ上のベース３の寸法が大きくなるので、その分、外槽５の振動をベース３において効果的に吸収できる。
【００７６】
また、前述した弾性部品２９として、図１３に示す変形例の構成もあり得る。図１３に示す第２ダンパ７’は、前述した第２ダンパ７に相当する。以下では、変形例に係る弾性部品２９を、第２ダンパ７’と外槽５との連結部分に適用される場合において説明するが、変形例に係る弾性部品２９は、第２ダンパ７’とベース３との連結部分においても適用可能である。
【００７７】
変形例に係る弾性部品２９に関連して、前述したブラケット２７は、板状のベース本体部２７Ａのみを有し、ベース本体部２７Ａには、ベース本体部２７Ａを上下方向Ｙに貫通する円形状の貫通孔２７Ｅが形成される。
【００７８】
変形例に係る弾性部品２９は、第１弾性部材５１および第２弾性部材５２を含む。第１弾性部材５１および第２弾性部材５２のそれぞれは、減衰力が高いゴム（高減衰ゴム）で形成されたブロック状に形成される。一例として、第１弾性部材５１は、第２弾性部材５２よりも上方Ｙ１側（外槽５側）に配置される。
【００７９】
第１弾性部材５１には、第１弾性部材５１を上下方向Ｙに貫通する円形の貫通孔５１Ａと、第１弾性部材５１の下面において貫通孔５１Ａを取り囲んで上方Ｙ１へ窪む環状の凹部５１Ｂとが形成される。貫通孔５１Ａの外径は、ロッドケース２１の上端部２１Ｂの外径をほぼ同じであり、凹部５１Ｂの外径は、ブラケット２７の貫通孔２７Ｅの内径とほぼ同じである。
【００８０】
第２弾性部材５２には、第２弾性部材５２を上下方向Ｙに貫通する円形状の貫通孔５２Ａと、第２弾性部材５２の上面において貫通孔５２Ａを取り囲んで上方Ｙ１へ突出する環状の凸部５２Ｂとが形成される。貫通孔５２Ａの外径は、ロッドケース２１の上端部２１Ｂの外径とほぼ同じであり、凸部５２Ｂの外径は、ブラケット２７の貫通孔２７Ｅの内径とほぼ同じである。
【００８１】
第１弾性部材５１は、凹部５１Ｂと貫通孔２７Ｅとが上下方向Ｙから見て重なるように、ブラケット２７に対して上方Ｙ１からセットされる。第２弾性部材５２は、凸部５２Ｂと貫通孔２７Ｅとが上下方向Ｙから見て重なるように、ブラケット２７に対して下方Ｙ２からセットされる。セット後の状態では、第２弾性部材５２の凸部５２Ｂは、ブラケット２７の貫通孔２７Ｅに対して下方Ｙ２から挿通され、第１弾性部材５１の凹部５１Ｂに対して下方Ｙ２から嵌まり込む。凸部５２Ｂと、ブラケット２７における貫通孔２７Ｅの周縁部との間には、ほとんど隙間がなく、凸部５２Ｂは、貫通孔２７Ｅに対してほぼ圧入された状態で設けられる。
【００８２】
そして、環状のワッシャ５３が、その内周部分から第１弾性部材５１の貫通孔５１Ａが露出されるように、第１弾性部材５１に対して上方Ｙ１からセットされる。別のワッシャ５３が、その内周部分から第２弾性部材５２の貫通孔５２Ａが露出されるように、第２弾性部材５２に対して下方Ｙ２からセットされる。
【００８３】
次いで、第２ダンパ７’におけるロッドケース２１の上端部２１Ｂが、各ワッシャ５３の内周部分と、第１弾性部材５１の貫通孔５１Ａと、第２弾性部材５２の貫通孔５２Ａとに対して下方Ｙ２から挿通される。ロッドケース２１の上端部２１Ｂでは、下端に鍔部５４が設けられ、上端にねじ部５５が設けられる。ロッドケース２１の上端部２１Ｂの挿通が完了した状態では、鍔部５４は、第２弾性部材５２の下のワッシャ５３に対して下方Ｙ２から接触し、ねじ部５５は、第１弾性部材５１上のワッシャ５３から上方に露出する。
【００８４】
ねじ部５５に対して上方Ｙ１からナット５６を組み付けると、第１弾性部材５１および第２弾性部材５２は、上下一対のワッシャ５３によって上方Ｙ１および下方Ｙ２から圧縮される。これにより、第１弾性部材５１および第２弾性部材５２は、これらの間において、ブラケット２７における貫通孔２７Ｅの周縁部を上方Ｙ１および下方Ｙ２から弾性的に挟み込む。そして、ロッドケース２１の上端部２１Ｂとブラケット２７との間には、第１弾性部材５１および第２弾性部材５２が介在された状態になる。
【００８５】
この構成であれば、ブラケット２７に伝達された外槽５の前後方向Ｚおよび左右方向Ｘへの振動を第１弾性部材５１および第２弾性部材５２によって減衰することができる。そのため、第２ダンパ７’、第１弾性部材５１および第２弾性部材５２によって、外槽５の全方向への振動を減衰することができる。
【００８６】
また、以上の説明では、第２ダンパ７において、ロッドケース２１を外槽５に連結し、ロッド２２をベース３に連結したが、逆の構成として、ロッドケース２１をベース３に連結し、ロッド２２を外槽５に連結してもよい。
また、第２ダンパ７として、前述したフリクションダンパに限らず、オイルダンパなど、その他の公知の構成のダンパを採用することができる。
【００８７】
そして、第２ダンパ７は、外槽５に生じる振動を上下方向Ｙの振動として受け止めるためには、前後方向Ｚに傾くことなく上下方向Ｙに極力沿うように配置されることが好ましいが、たとえば図４に示すように、左右方向Ｘに若干傾斜して配置されてもよい。
また、洗濯脱水槽４を斜めドラム構造として外槽５を水平方向Ｈに対して斜めに配置したが、洗濯脱水槽４および外槽５を、水平方向Ｈに沿って配置してもよい。
【符号の説明】
【００８８】
１      洗濯機
３      ベース
４      洗濯脱水槽  
５      外槽
５Ｂ  （外槽５の）前方側下方部分
７      第２ダンパ
１１    床
１２    中心軸
１５    出入口
１８    開口部
２１Ｂ  （ロッドケース２１の）上端部
２２Ａ  （ロッド２２の）下端部
２６    ベース連結部
２９    弾性部品
３０    取付部品
３１    第１部分
４３    振動低減構造
４５    ベース連結部
４６    ベース本体部
４７    洗濯パン
Ｊ      軸線方向
ＬＶ    （振動の）下方成分
Ｖ      垂直方向
Ｙ１    下方
Ｚ１    前方
【図１】
2015119848.tif 000003
【図２】
2015119848.tif 000004
【図３】
2015119848.tif 000005
【図４】
2015119848.tif 000006
【図５】
2015119848.tif 000007
【図６】
2015119848.tif 000008
【図７】
2015119848.tif 000009
【図８】
2015119848.tif 000010
【図９】
2015119848.tif 000011
【図１０】
2015119848.tif 000012
【図１１】
2015119848.tif 000013
【図１２】
2015119848.tif 000014
【図１３】
2015119848.tif 000015